(57)【要約】【課題】試料採取量の増大を容易に実現でき、試料採取作業時の栓体への試料の付着防止にも有利な試料採取用具の提供。【解決手段】容器２０と、容器開口部２１を密閉可能な栓体３１から試料採取用の採取用突片３２が延出する採取片付き栓体３０とを有し、採取用突片３０は、栓体３１の容器開口部２１を密閉したときに容器２０内側空間に臨む底面３４ｄの外周部あるいは底面３４ｄ外周部から突出する支持片部３２ａの先端から、容器開口部２１中心軸線に一致される栓体３１中心軸線を介して反対の側へ傾斜して延出されている試料採取用具１０を提供する。【選択図】図１
2018072264.tif 000002
【特許請求の範囲】
【請求項１】
一端側の底壁とは反対の他端側に開口部が形成された容器と、前記容器の他端側に脱着される栓体から試料採取用の採取用突片が延出する採取片付き栓体とを有し、
前記栓体は前記容器の開口部を密閉可能であり、
前記採取用突片は、前記栓体の前記容器の開口部を密閉したときに前記容器の内側空間に臨む底面の外周部あるいは前記底面の外周部から突出する支持片部の先端から延出する採取片部を有し、前記採取片部は、前記栓体の前記底面あるいは前記支持片部先端から、前記容器の開口部を密閉したときに前記容器の開口部の中心軸線に一致する前記栓体の中心軸線に対して前記栓体の中心軸線を介して反対の側へ傾斜して延出されていることを特徴とする試料採取用具。
【請求項２】
前記採取片部の先端は、前記栓体の中心軸線方向における前記底面の中央部の延長上に位置することを特徴とする請求項１に記載の試料採取用具。
【請求項３】
前記採取片部の前記栓体側の基端部は前記栓体の前記底面の外周部に沿う湾曲断面形状で延在する円弧板状に形成されていることを特徴とする請求項１又は２に記載の試料採取用具。
【請求項４】
前記採取片部の前記支持片部からの延在寸法は、前記栓体の前記底面からの前記支持片部の突出寸法に比べて小さいことを特徴とする請求項１〜３のいずれか１項に記載の試料採取用具。
【請求項５】
前記栓体には前記底面とは反対の側から手指を挿入可能な凹部が形成されていることを特徴とする請求項１〜４のいずれか１項に記載の試料採取用具。
【請求項６】
請求項１〜５のいずれか１項に記載の試料採取用具を使用して試料を採取することを特徴とする試料採取方法。
【請求項７】
請求項６に記載の試料採取方法によって試料を採取し、採取した試料を検査に供することを特徴とする試料の検査方法。
【発明の詳細な説明】
【技術分野】
【０００１】
本発明は、採便等の試料採取に用いられる試料採取用具、それを用いた試料採取方法、試料の検査方法に関する。
【背景技術】
【０００２】
採便等の試料採取に用いられる試料採取用具としては、例えば特許文献１に開示されるものが知られている。
特許文献１に記載の試料採取用具（試料採取用器具）は、一端が閉塞し他端に開口を有する管状体と、管状体の開口を密閉可能な密封栓と、管状体に収納可能な大きさの試料採取用の匙部と、匙部と密封栓とを連結する取っ手部とを有する構成である。
この試料採取用具は、取っ手部先端側（密封栓とは反対の側）の匙部に便等の試料を採取した後、試料を載せた匙部及び取っ手部を管状体にその開口から挿入し、密封栓によって管状体開口部を密閉することで、採取した試料を管状体内に保管できる。
【０００３】
特許文献１の図２には、匙部と取っ手部のなす角度θ１を０から２０度とした構成の試料採取用具が開示されている。また、特許文献１の図６には匙部と取っ手部のなす角度θ２を４０度前後とした構成の試料採取用具が開示されている。
特許文献１の図２、図６の試料採取用具の取っ手部は、管状体の開口を密閉栓で密閉したとき、管状体のその軸線方向に垂直の断面方向中央部に配置される。また、この試料採取用具の匙部の取っ手部先端からの延出寸法は、取っ手部の密封栓からの延出寸法に比べて格段に小さい。
【先行技術文献】
【特許文献】
【０００４】
【特許文献１】特開平６−２０１６８４号公報
【発明の概要】
【発明が解決しようとする課題】
【０００５】
特許文献１の図２、図６に開示される試料採取用具は、いずれも、匙部のサイズが小さいため試料採取量が少ない。このため、例えば多種多様な検査のために充分な量の試料（便等）の採取に適用できない、という不都合を生じる。
【０００６】
本発明が解決しようとする課題は、試料採取量の増大を容易に実現でき、試料採取作業時の栓体への試料の付着防止にも有利な試料採取用具、それを用いた試料採取方法、試料の検査方法を提供することである。
【課題を解決するための手段】
【０００７】
上記課題を解決するために、本発明では以下の態様を提供する。
第１の態様は、一端側の底壁とは反対の他端側に開口部が形成された容器と、前記容器の他端側に脱着される栓体から試料採取用の採取用突片が延出する採取片付き栓体とを有し、前記栓体は前記容器の開口部を密閉可能であり、前記採取用突片は、前記栓体の前記容器の開口部を密閉したときに前記容器の内側空間に臨む底面の外周部あるいは前記底面の外周部から突出する支持片部の先端から延出する採取片部を有し、前記採取片部は、前記栓体の前記底面あるいは前記支持片部先端から、前記容器の開口部を密閉したときに前記容器の開口部の中心軸線に一致する前記栓体の中心軸線に対して前記栓体の中心軸線を介して反対の側へ傾斜して延出されていることを特徴とする試料採取用具である。
第２の態様は、前記採取片部の先端は、前記栓体の中心軸線方向における前記底面の中央部の延長上に位置することを特徴とする第１の態様の試料採取用具である。
第３の態様は、前記採取片部の前記栓体側の基端部は前記栓体の前記底面の外周部に沿う湾曲断面形状で延在する円弧板状に形成されていることを特徴とする第１又は２の態様の試料採取用具である。
第４の態様は、前記採取片部の前記支持片部からの延在寸法は、前記栓体の前記底面からの前記支持片部の突出寸法に比べて小さいことを特徴とする第１〜３のいずれか１つの態様の試料採取用具である。
第５の態様は、前記栓体には前記底面とは反対の側から手指を挿入可能な凹部が形成されていることを特徴とする第１〜４のいずれか１つの態様の試料採取用具である。
第６の態様は、第１〜第５のいずれか１つの態様の試料採取用具を使用して試料を採取することを特徴とする試料採取方法である。
第７の態様は、第６の態様の試料採取方法によって試料を採取し、採取した試料を検査に供することを特徴とする試料の検査方法である。
【発明の効果】
【０００８】
本発明の幾つかの実施形態に係る試料採取用具によれば、その構成上、採取用突片の採取片部のサイズの大型化、それによる試料採取量の増大を容易に実現できる。
この試料採取用具の採取用突片は栓体の底面の外周部から延出されている。採取片付き栓体は、採取用突片が栓体底面中心よりも下側に位置する向きとしたとき、栓体の採取用突片から下側に位置する部分の方が採取用突片から上側に位置する部分に比べてサイズが小さい。このため、試料採取用具は、試料が載置された載置面に先端を摺動させた採取用突片に試料を掬い上げる作業等を、採取用突片が栓体底面中心よりも下側に位置する向きで行なうことで、栓体のその下方に位置する試料からの距離の確保が容易であり、栓体への試料の付着防止に有利である。
【図面の簡単な説明】
【０００９】
【図１】本発明に係る１実施形態の試料採取用具を示す分解正断面図である。
【図２】図１の試料採取用具の採取片付き栓体の栓体によって、容器開口部を密閉した状態を示す正断面図である。
【図３】図１の試料採取用具の採取片付き栓体をその採取用突片側から見た構造を示す斜視図である。
【図４】図１の試料採取用具の採取片付き栓体をその採取用突片側から見た構造を示す下面図である。
【図５】図１の試料採取用具の採取片付き栓体の側面図であり、採取片付き栓体を円弧板状の採取片部の湾曲内周側（凹曲面側）から見た構造を示す。
【図６】図１の試料採取用具を使用した試料採取方法における採取片付き栓体の掬い上げ操作を説明する図である。
【発明を実施するための形態】
【００１０】
以下、本発明の好適な幾つかの実施形態について、図面を参照して説明する。
図１、図２は、本発明の好適な１実施形態の試料採取用具１０を示す。
図１、図２に例示した試料採取用具１０は、容器２０と、容器２０の開口部２１を密閉可能な栓体３１から採取用突片３２が延出する構成の採取片付き栓体３０とを有する。
【００１１】
試料採取用具１０は、例えば、食品、人畜の糞便、人畜の分泌物、土壌、泥、生ゴミ等の有機廃棄物などの試料の、採取片付き栓体３０の採取用突片３２の利用による採取、容器２０への収容保管が可能である。すなわち、衛生的な試料または非衛生的な試料のいずれかに関わらず様々な試料の採取に用いることができる。
【００１２】
容器２０は、例えばプラスチック、ガラス、金属等の、遮水性を確保可能な素材で形成される。また、採取片付き栓体３０は、例えば糞便等への採取用突片３２の突き刺し操作を、採取片付き栓体３０に大きな変形や破壊、損傷等を生じることなく安定に行える強度を確保可能な素材によって形成される。採取片付き栓体３０の形成素材としては、例えばプラスチック、金属等を挙げることができる。
【００１３】
試料採取用具１０の容器２０及び採取片付き栓体３０は、それぞれγ線照射による滅菌処理が可能な素材によって形成されていることが好ましい。また、試料採取用具１０の容器２０及び採取片付き栓体３０の形成素材は、低コスト化の点でプラスチックが好適である。
【００１４】
図１、図２に例示した試料採取用具１０の容器２０及び採取片付き栓体３０は、γ線照射による滅菌処理が可能なプラスチック製部材である。容器２０及び採取片付き栓体３０を形成するプラスチックとしては、例えば、ポリカーボネート、ポリエチレンテレフタレート、アクリル、ポリビニルアルコール、ポリアミド、ポリスルホン、ＡＢＳ樹脂、ポリスチレン等の汎用樹脂を挙げることができる。
【００１５】
試料採取用具１０の容器２０は、筒壁部２２と、その軸線方向一端側を塞ぐ底壁２３とを有し、筒壁部２２のその軸線方向において底壁２３とは反対の他端側が開口された有底筒状（片側有底筒状）に形成されている。容器２０の開口部２１は筒壁部２２他端側の開口を指す。
図１、図２に例示した試料採取用具１０の容器２０の筒壁部２２（以下、容器筒壁部、とも言う）は具体的には円筒状である。この容器２０は片側有底円筒状に形成されている。また、この容器２０は、プラスチック製の一体成形品である。
【００１６】
図１〜図３に示すように、試料採取用具１０の採取片付き栓体３０は栓体３１と栓体３１から延出する採取用突片３２とを有する。
図１〜図３に例示した採取片付き栓体３０の栓体３１は、容器２０の開口部２１周囲の口縁部（以下、容器口縁部、とも言う）の全周に当接可能な環状天壁部３３と、容器２０の開口部２１（以下、容器開口部、とも言う）に挿脱可能な挿入突部３４と、螺着壁部３５とを有する。
【００１７】
図１〜図３に例示した試料採取用具１０の容器２０の容器口縁部は、具体的には容器開口部２１周囲の筒壁部２２端部（以下、筒壁部２２開口端部、とも言う）の先端部分を指す。
環状天壁部３３のその軸線方向片側には、容器口縁部に当接される当接面３３ａが形成されている。環状天壁部３３の当接面３３ａは、容器開口部２１周囲の筒壁部２２の端面の全周に当接可能である。
【００１８】
図１〜図３に例示した栓体３１の当接面３３ａは、環状天壁部３３内周と同軸の円周に沿う環状に形成されている。また、図１〜図３に例示した栓体３１の当接面３３ａは、環状天壁部３３内周の中心軸線に垂直の平坦面に形成されている。
なお、本明細書では、栓体３１について、環状の当接面３３ａの湾曲中心を通り当接面３３ａ湾曲中心を中心とする円周を含む仮想平面に垂直の軸線（以下、当接面３３ａの中心軸線、とも言う）を、栓体３１の中心軸線３１Ｌとして扱うものとする。
図１〜図３に例示した栓体３１において、環状天壁部３３内周の中心軸線は栓体中心軸線３１Ｌと一致している。
【００１９】
図１〜図３に例示した栓体３１の環状天壁部３３は具体的にはリング板状に形成されている。この環状天壁部３３の内周及び外周は、栓体中心軸線３１Ｌに同軸の同心円状に形成されている。
【００２０】
図２に示すように、環状天壁部３３の内径は容器開口部２１内径よりも小さい。図１〜図３に例示したリング板状の栓体３１の環状天壁部３３の外径は容器口縁部外径と一致するか容器口縁部外径に比べて僅かに大きい。
【００２１】
図１〜図３に示すように、栓体３１の挿入突部３４は、環状天壁部３３の内周部からその軸線方向片側へ突出する筒状側壁部３４ａと、筒状側壁部３４ａ内側空間の筒状側壁部３４ａ突端側を塞ぐ栓体底壁部３４ｂとを有する。
筒状側壁部３４ａは環状天壁部３３内周部と同軸に延在する円筒状に形成されている。
【００２２】
図１、図２に示す栓体３１において、環状天壁部３３の当接面３３ａとは反対側の面を、以下、栓体天面３３ｂとも言う。
図１、図２に示すように、挿入突部３４の内側空間３４ｃの栓体底壁部３４ｂとは反対の側は開口されている。環状天壁部３３内周から内側（環状天壁部３３内周の径方向内側）の領域は、挿入突部３４の内側空間３４ｃの開口部とされている。挿入突部３４の内側空間３４ｃは、栓体天面３３ｂ内周から窪む凹部となっている。挿入突部３４の内側空間３４ｃを、以下、栓体凹部、とも言う。
また、図１、図２に示す採取片付き栓体３０の栓体凹部３４ｃは、その開口側（栓体底壁部３４ｂとは反対の側）から採取片付き栓体３０の使用者の手指を挿入可能な大きさに形成されている。
【００２３】
図１〜図４に示すように、螺着壁部３５は、環状天壁部３３の外周部全周から栓体３１軸線方向（中心軸線方向）において筒状側壁部３４ａと同じ側へ突出する筒状に形成されている。環状天壁部３３は筒状の螺着壁部３５の軸線方向片側の端部の内側に位置する。図１〜図４に示す栓体３１の螺着壁部３５は、具体的には、栓体中心軸線３１Ｌを中心とする円筒状に形成されている。
【００２４】
図１〜図４に示すように、栓体３１の螺着壁部３５の内周側には内ねじ部３５ａが形成されている。内ねじ部３５ａは栓体中心軸線３１Ｌを中心とする雌ねじ部である。筒壁部２２開口端部の外周側には、栓体３１の螺着壁部３５の内ねじ部３５ａと螺合可能な外ねじ部２２ａが形成されている。
【００２５】
栓体３１は、螺着壁部３５の内ねじ部３５ａを容器２０の筒壁部２２開口端部外周の外ねじ部２２ａに螺合させることで容器２０の筒壁部２２に螺着できる。
栓体３１は、その中心軸線３１Ｌを容器筒壁部２２開口端部の中心軸線に一致させて容器筒壁部２２に螺着される。
【００２６】
図１〜図４に示すように、栓体３１の採取用突片３２は、栓体３１の挿入突部３４の栓体底壁部３４ｂの環状天壁部３３とは反対側の面３４ｄ（底面。以下、栓体底面、とも言う）の外周部から環状天壁部３３とは反対側へ延出している。
図１〜図３に示すように、採取用突片３２は、栓体３１側の支持片部３２ａと、この支持片部３２ａの先端（栓体３１とは反対側の端）から延出する採取片部３２ｂとを有する。
【００２７】
支持片部３２ａは、栓体底面３４ｄ（具体的には栓体底壁部３４ｂ）の外周部の一部から栓体天面３３ｂとは反対の側へ突出（延出）されている。
図１〜図４に示す採取片付き栓体３０の採取用突片３２の支持片部３２ａは、栓体底面３４ｄ外周に沿う円弧状断面で栓体底面３４ｄから栓体３１軸線方向に沿って突出する円弧板状に形成されている。図１〜図４の支持片部３２ａは、栓体底面３４ｄからの突出方向全長にわたって一定断面寸法で突出している。この支持片部３２ａの栓体底面３４ｄ外周方向の断面寸法は、栓体底面３４ｄ外周の８分の１以上、半分以下であることが好ましく、栓体底面３４ｄ外周の６分の１以上、半分以下であることがより好ましい。
【００２８】
図３、図４に示すように、採取片付き栓体３０の採取用突片３２の採取片部３２ｂは、支持片部３２ａ先端から湾曲断面形状で延出する円弧板状に形成されている。採取片部３２ｂの先端部以外の部分は、支持片部３２ａと同様の断面寸法で延在している。円弧板状の採取片部３２ｂは、その湾曲内周側の凹曲面が支持片部３２ａの湾曲内周側の凹曲面と接し、湾曲外周側の凸曲面が支持片部３２ａの湾曲外周側の凸曲面と接する向きの断面湾曲形状に形成されている。
採取片部３２ｂの基端部（栓体３１側の端部）の採取片部３２ｂ延在方向に垂直の断面は、栓体３１の前記底面の外周部に沿う円弧状に湾曲延在する。
【００２９】
図１、図２に示すように、採取片部３２ｂは、栓体底面３４ｄから突出する支持片部３２ａの先端（突端）から栓体３１とは反対の側へ向かって、栓体中心軸線３１Ｌに対して栓体中心軸線３１Ｌを介して反対の側（支持片部３２ａ先端とは反対の側）へ傾斜して延出している。
採取片部３２ｂは支持片部３２ａを介して栓体３１に対して支持されている。
【００３０】
図１〜図４に示す採取片付き栓体３０の支持片部３２ａは、栓体底面３４ｄから栓体３１軸線方向に突出されている。このため、採取片部３２ｂは、栓体中心軸線３１Ｌのみならず、支持片部３２ａの栓体底面３４ｄからの突出方向に対しても傾斜して延在している。
【００３１】
図１〜図４に例示した実施形態の採取片付き栓体３０の支持片部３２ａの栓体底面３４ｄからの突出寸法は、採取片部３２ｂの延在寸法（支持片部３２ａからの延出長）に比べて小さい。支持片部３２ａの栓体底面３４ｄからの突出寸法は、例えば、採取片部３２ｂの延在寸法の１５〜３５％の寸法に確保される。
この採取片付き栓体３０の採取片部３２ｂの、支持片部３２ａの栓体底面３４ｄからの突出方向に対する傾斜角度θ（図１参照）は１０〜７０度であることが好ましく、３０〜６０度であることがより好ましい。
【００３２】
図４、図５に示すように、採取片部３２ｂの先端部は、その採取片部３２ｂ延在方向に垂直の湾曲断面の延在方向寸法が採取片部３２ｂ先端側へ行くにしたがって縮小する先細り形状に形成されている。
先細り形状の採取片部３２ｂ先端部は、固形糞便等への採取片部３２ｂの突き刺しなどを容易にする利点がある。
【００３３】
円弧板状の支持片部３２ａの栓体底面３４ｄ外周方向の断面寸法が半分以下であり、採取片部３２ｂの断面寸法も支持片部３２ａと同様であることは、採取用突片３２の樹脂成形を容易にする点、低コスト化の点で有利である。
なお、採取片部３２ｂの断面寸法は、必ずしも支持片部３２ａ断面寸法と同様である必要は無く、支持片部３２ａ断面寸法と異なっていても良い。採取用突片３２は、例えば、円弧板状の採取片部３２ｂの先端部以外の部分のその延在方向に垂直の湾曲断面の延在方向寸法が、円弧板状の支持片部３２ａのその湾曲断面の延在方向寸法よりも大きい構成も採用可能である。
【００３４】
容器２０から取り外した状態の採取片付き栓体３０は、採取用突片３２及び栓体３１の挿入突部３４を容器開口部２１に挿入するとともに、栓体３１を容器筒壁部２２開口端部に対して相対回転させて、螺着壁部３５の内ねじ部３５ａを容器筒壁部２２開口端部の外ねじ部２２ａに螺合させることで、栓体３１を容器筒壁部２２開口端部に螺着できる。そして、採取片付き栓体３０は、容器筒壁部２２開口端部に螺着した栓体３１の容器筒壁部２２開口端部へのねじ込みによって、容器口縁部に環状天壁部３３の当接面３３ａを当接した状態で栓体３１を容器２０に締め付けることで、容器開口部２１を密閉できる。また、３３ａにシリコン、ゴム等の材質によるパッキン（密閉部材、密封部材、シール部材等）を挟むことにより、密閉性を高めることも可能である。
容器筒壁部２２開口端部に螺着された栓体３１は、容器筒壁部２２開口端部に対してねじ込み時とは逆向きに回転操作することで、容器２０から離脱させることができる。
【００３５】
なお、採取片付き栓体３０の採取用突片３２は、採取片付き栓体３０の栓体３１の容器筒壁部２２開口端部へのねじ込み、締め付けによって容器開口部２１を密閉したときに、その先端が容器２０の底壁２３近傍に達する延在寸法を以て形成されている。
また、採取片付き栓体３０の栓体３１によって容器開口部２１を密閉したとき、採取片付き栓体３０の採取用突片３２の先端は、容器筒壁部２２の中心軸線付近（容器筒壁部２２中心軸線に接する位置あるいはその近傍）に配置される。
【００３６】
図１、図２に例示した採取片付き栓体３０の栓体３１は、環状天壁部３３から栓体天面３３ｂとは反対側に突出する密閉補助突壁３６を有する。密閉補助突壁３６は、栓体中心軸線３１Ｌを中心とするリング状に形成されている。但し、密閉補助突壁３６は、螺着壁部３５に比べて径小であり、螺着壁部３５から栓体中心軸線３１Ｌ側へ離隔させて形成されている。環状天壁部３３の当接面３３ａは、環状天壁部３３の栓体天面３３ｂとは反対の側において密閉補助突壁３６と螺着壁部３５との間に位置している。
密閉補助突壁３６と螺着壁部３５との間には、栓体３１によって容器開口部２１を密閉したときに容器筒壁部２２開口端部が挿入される。密閉補助突壁３６は、密閉補助突壁３６と螺着壁部３５との間に挿入された容器筒壁部２２開口端部内周面に当接して、容器２０内の試料４２が容器口縁部と栓体３１（具体的には環状天壁部３３）との間から漏出することを防ぐべく、栓体３１による容器開口部２１の密閉性を高める役割を果たす。
なお、採取片付き栓体は、密閉補助突壁３６を有していない構成も採用可能である。
【００３７】
試料採取用具１０の採取片付き栓体３０は、容器２０から取り外した状態（離脱させた状態）で糞便等の試料を採取に用いられる。容器２０から取り外した状態採取片付き栓体３０による試料採取は、例えば、その使用者が栓体３１を把持した手指で操作することで、採取片部３２ｂに糞便等の試料を採取する。
試料採取用具１０は、試料採取後の採取片付き栓体３０の採取用突片３２を採取した試料とともに容器開口部２１に挿入し、容器筒壁部２２開口端部に螺着した栓体３１を容器２０に締め付けて容器開口部２１を密閉することで、採取した試料を容器２０に収容、保管できる。
【００３８】
採取片付き栓体３０の採取片部３２ｂに採取された固形状の糞便等の試料は、主として、容器筒壁部２２と容器２０に挿入した採取用突片３２の採取片部３２ｂとの間に配置された状態にて、試料採取用具１０内に収容される。
試料採取用具は、図１、図２等に示す試料採取用具１０について採取片付き栓体３０の採取片部３２ｂのみを変更し、栓体３１によって容器開口部２１を密閉したときに採取片部３２ｂのその先端部よりも基端側部分が容器筒壁部２２の中心軸線と交差し、採取片部３２ｂ先端が容器筒壁部２２内周面に近接配置される構成（以下、採取部先端近接形採取用具、とも言う）も採り得る。但し、図１、図２等に示す試料採取用具１０であれば、栓体３１によって容器開口部２１を密閉したときの採取片部３２ｂと容器筒壁部２２内周面との間のスペースを採取部先端近接形採取用具に比べて大きく確保できる。このため、栓体３１によって容器開口部２１を密閉したときに採取用突片３２先端が容器筒壁部２２の中心軸線付近に配置される構成の試料採取用具１０は、採取部先端近接形採取用具に比べて試料収容量の増大に有利である。
【００３９】
採取部先端近接形採取用具の支持片部３２ａの栓体底面３４ｄからの突出寸法は、例えば、採取片部３２ｂの延在寸法の５〜３５％の寸法に確保される。
採取部先端近接形採取用具の採取片部３２ｂの、支持片部３２ａの栓体底面３４ｄからの突出方向に対する傾斜角度θ（図１参照）は１０〜７０度であることが好ましく、３０〜６０度であることがより好ましい。
【００４０】
試料が糞便である場合、容器２０から取り外した状態の採取片付き栓体３０による試料採取は、固形状あるいは粘土状の糞便に突き刺した採取片部３２ｂへの取り出し、糞便が載置された載置面に沿って移動させた採取片部３２ｂへの掬い上げ（図６参照）、等によって実現できる。
【００４１】
図６は、本発明の試料採取方法を説明する図であり、とくに水平方向に延在する載置面４１上にある試料４２を採取片部３２ｂに掬い上げて採取する掬い上げ操作を説明する図である。図６に示すように、掬い上げ操作は、容器２０から取り外した状態の採取片付き栓体３０を、その栓体中心軸線３１Ｌが採取片部３２ｂ側に比べて栓体３１側の方が載置面４１からの離隔距離が大きくなるように載置面４１に対して傾斜した向きで、採取片部３２ｂ先端を載置面４１に当接させて使用する。しかも、採取片付き栓体３０は、栓体底壁部３４ｂの採取用突片３２基端部と連続する部分が栓体底壁部３４ｂにおける最下部に位置する向きで使用する。
そして、掬い上げ操作は、採取片付き栓体３０を上述の向きで採取片部３２ｂ先端を載置面４１に当接させた状態を保ったまま載置面４１に沿って移動させ、載置面４１から試料４２を掬い上げて採取する。試料４２は採取片部３２ｂの凹曲面側に採取する。
【００４２】
図６の試料４２の掬い上げ操作にあっては、採取片付き栓体３０の栓体３１（具体的には螺着壁部３５）や栓体３１を把持する使用者の手指が載置面４１上の試料４２に接触して試料が付着することを防ぐには、栓体３１を載置面４１から上方に離隔させて支持した状態を保つ。なお、試料は載置面４１の広範囲に分散して存在することもある。栓体３１を載置面４１から上方に離隔させて支持することは、栓体３１（具体的には螺着壁部３５）や栓体３１を把持する使用者の手指が載置面４１の広範囲に分散して存在する試料に接触して試料が付着することを防ぐ。
その一方、掬い上げ操作では、採取片部３２ｂ上への試料採取のために、採取片部３２ｂを載置面４１に平行に近付けて試料の掬い上げを行ないたいケースがある。
【００４３】
採取片付き栓体３０の採取用突片３２は栓体底壁部３４ｂの外周部から延出している。
ここで、採取片付き栓体３０について、採取用突片３２が栓体底壁部３４ｂ（栓体底面３４ｄ）の中央部から延出するように改変した構成（以下、採取部中央延出形栓体、とも言う）との対比を説明する。
採取片付き栓体３０は、栓体底壁部３４ｂの採取用突片３２基端部と連続する部分が栓体底壁部３４ｂにおける最下部に位置する向きで掬い上げ操作に使用することで、採取部中央延出形栓体に比べて、栓体３１の載置面４１からの距離（高さ）を大きく（高く）確保できる。つまり、採取片付き栓体３０は、栓体底壁部３４ｂの採取用突片３２基端部と連続する部分が栓体底壁部３４ｂにおける最下部に位置する向きで掬い上げ操作に使用するとき、採取片部３２ｂの載置面４１に対する傾斜角度を同じにした採取部中央延出形栓体に比べて、栓体３１の載置面４１からの距離（高さ）を大きく（高く）確保できる。
【００４４】
このため、採取片付き栓体３０は、採取部中央延出形栓体に比べて、掬い上げ操作の際に、栓体３１や栓体３１を把持する使用者の手指が載置面４１上の試料４２に接触して試料が付着することを防ぐ点で有利である。採取片付き栓体３０は、採取部中央延出形栓体に比べて、掬い上げ操作による試料採取の作業性向上に有利である。
【００４５】
特許文献１に記載の試料採取用具（試料採取用器具）の取っ手部は、特許文献１の図２、図６を参照して判るように、密閉栓における管状体の開口を密閉したときに管状体内側空間に臨む面の中央部から延出されている。
採取片付き栓体３０は、特許文献１に記載の試料採取用具に比べて、掬い上げ操作による試料採取の作業性向上に有利である。
【００４６】
特許文献１に記載の試料採取用具の匙部の取っ手部先端からの延出寸法は、取っ手部の密封栓からの延出寸法に比べて格段に小さい。これに対して、支持片部３２ａの栓体底面３４ｄからの突出寸法が採取片部３２ｂの延在寸法に比べて小さい採取片付き栓体３０は、採取片部３２ｂのサイズの大型化、試料採取量の増大に有利である。また、採取片付き栓体３０は、支持片部３２ａの栓体底面３４ｄからの突出寸法が採取片部３２ｂの延在寸法の１５〜３５％であっても、掬い上げ操作による試料採取の作業性を良好に確保できる。
【００４７】
なお、特許文献１に記載の試料採取用具は、その構成上、仮に、匙部の取っ手部先端からの延出寸法を、取っ手部の密封栓からの延出寸法に比べて大きくすると、水平方向に延在する載置面４１上の試料を掬い上げる掬い上げ操作の際に、密閉栓の載置面４１からの距離（高さ）が小さくなる。その結果、特許文献１に記載の試料採取用具は、掬い上げ操作による試料採取の作業性が低下する。
【００４８】
採取片付き栓体３０の操作は、例えば、使用者が複数本の手指で栓体３１の外周部（具体的には螺着壁部３５）のみを把持して行なうが、これに限定されない。採取片付き栓体３０の操作は、例えば、栓体３１の栓体凹部３４ｃに差し入れた手指を利用して、複数の手指によって、栓体３１の螺着壁部３５外側面と栓体凹部３４ｃとの間に位置する部分を把持して行なっても良い。
【００４９】
例えば採取片付き栓体３０を狭隘な作業空間に差し入れて掬い上げ操作によって採取採取するとき、栓体３１の下側や左右両側に手指を回り込ませることが難しい場合が生じ得る。しかしながら、採取片付き栓体３０は、掬い上げ操作の際に、栓体３１の栓体凹部３４ｃに差し入れた手指を利用して、栓体３１の螺着壁部３５外側面と栓体凹部３４ｃとの間に位置する部分を手指で把持することで、狭隘な作業空間における掬い上げ操作を効率良く行うことも可能である。
【００５０】
次に、本発明の試料採取用具１０を使用した試料の検査方法の発明について説明する。本発明の試料の検査方法においては、まず図６に示した試料の採取方法を実行する。具体的には、例えば図６において試料４２が被験者の糞便であるとすると、図６に記載された態様に従って採取片付き栓体３０を使用し、採取片部３２ｂによって試料４２（糞便）を掬い上げて採取する。
その状態で採取片付き栓体３０を、採取用突片３２及び栓体３１の挿入突部３４を容器開口部２１に挿入するとともに、栓体３１を容器筒壁部２２開口端部に対して相対回転させて、螺着壁部３５の内ねじ部３５ａを容器筒壁部２２開口端部の外ねじ部２２ａに螺合させ、栓体３１を容器筒壁部２２開口端部に螺着する。これにより試料採取用具１０は、図２の状態になる。ただし図２では図示されていないが、容器２０の内部空間には、採取片部３２ｂに採取した試料４２（糞便）が存在している。
この状態で、採取した試料４２（糞便）を、例えば、特許第５２６４２３９号公報に記載されるスギ花粉症の補助検査に供することができる。この場合は、採取した試料４２（糞便）の中のバクテロイデス・ユニフォルミスおよびバクテロイデス・カッカエからなる群より選択される１種以上の菌種の菌数が、試料４２（糞便）の１ｇ当たり１００万未満である場合に、被験者がスギ花粉症に罹患している可能性が高いと判断する。
【００５１】
以上のように、本発明の試料の採取方法は様々な検査方法に利用することが可能であり、例えば、試料４２が人の糞便であれば、糞便中の水分含量、アミノ酸類や脂肪酸等の腸内代謝産物（腸内分泌物を含む）の成分組成、細菌学的方法（培養法を含む）またはPCR法、次世代シーケンサーなどによる菌叢、色査計などによる色味等の検査に供することができる。また、試料４２が食品であれば、栄養成分組成、細菌数などの衛生試験、環境ホルモン測定等の検査に供することができる。さらに試料４２が土壌、泥等であれば、環境試験等の検査に供することができる。
【００５２】
以上、本発明を最良の形態に基づいて説明してきたが、本発明は上述の最良の形態に限定されるものではなく、本発明の要旨を逸脱しない範囲で種々の改変が可能である。
採取片付き栓体の採取用突片は、支持片部３２ａの栓体底面３４ｄからの突出寸法が採取片部３２ｂの延在寸法に比べて小さい構成に限定されず、支持片部３２ａの栓体底面３４ｄからの突出寸法が採取片部３２ｂの延在寸法と同等以上の寸法である構成も採用可能である。
採取片付き栓体の採取用突片は、支持片部３２ａを有する構成に限定されず、支持片部３２ａが存在せず、採取片部が栓体底面から直接延出する構成も採用可能である。
【００５３】
図１、図２等に例示した採取片付き栓体３０の栓体３１の、筒状側壁部３４ａ及び栓体底壁部３４ｂによって構成された挿入突部３４と、環状天壁部３３とは、栓体３１の螺着壁部３５のその軸線方向片側端部を塞ぐ栓体天壁部を構成する。
但し、採取片付き栓体の栓体は、栓体凹部３４ｃが存在しない構成も採用可能である。
採取片付き栓体の栓体は、栓体凹部３４ｃが形成されておらず中実の挿入突部を有する構成や、挿入突部が存在せず螺着壁部３５の軸線方向片側端部を塞ぐ円板状の栓体天壁部を有する構成も採用可能である。栓体凹部３４ｃが形成されておらず中実の挿入突部を有する栓体は、螺着壁部３５の軸線方向片側端部を塞ぐ円板状の栓体天壁部と、この栓体天壁部の面方向中央部から螺着壁部３５が突出する側に突出する中実の挿入突部とを有する構成である。
【００５４】
図１、図２等に例示した採取片付き栓体３０の栓体天壁部は、環状天壁部３３の当接面３３ａとは反対側の面のみが栓体天面３３ｂである。螺着壁部３５の軸線方向片側端部を塞ぐ円板状の栓体天壁部を有する栓体の栓体天面は、栓体天壁部の螺着壁部３５が突出する側とは反対側の面全体である。
螺着壁部３５の軸線方向片側端部を塞ぐ円板状の栓体天壁部の栓体天面とは反対側の面の外周部には、容器開口部密閉時に容器口縁部に当接される当接面が確保される。
また、螺着壁部３５の軸線方向片側端部を塞ぐ円板状の栓体天壁部を有する採取片付き栓体の採取用突部は、栓体における容器開口部密閉時に容器内側空間に臨む栓体底面の外周部から栓体天面とは反対の側へ延出される。栓体底面は、栓体の中実の挿入突部の突端面、あるいは、挿入突部が形成されていない円板状の栓体天壁部の栓体天面とは反対側の面におけるその外周部の当接面よりも内側部分、である。
【００５５】
採取片付き栓体の栓体の螺着壁部は、栓体中心軸線を中心とする円筒状の構成に限定されない。螺着壁部は、その外周の栓体中心軸線に垂直の断面形状が矩形、六角形等の多角形状の構成であっても良い。
【００５６】
採取片付き栓体は、容器筒壁部２２開口端部外周に螺着可能な螺着壁部を有する構成に限定されない。
採取片付き栓体は、容器筒壁部２２開口端部外周に螺着可能な螺着壁部が存在せず、容器筒壁部２２開口端部に挿入して容器筒壁部２２に脱着可能に取り付けられる部分（以下、挿入取付部、とも言う）が確保された栓体を有する構成も採用可能である。栓体は、容器筒壁部２２開口端部内周に螺着可能な挿入取付部を有する構成や、容器筒壁部２２開口端部に嵌合可能な挿入取付部を有する構成も採用可能である。
挿入取付部を有する栓体の栓体底面は、挿入取付部の、容器筒壁部２２開口端部への挿入時に容器内側空間に臨む面である。螺着壁部が存在せず挿入取付部を有する栓体は、栓体底面とは反対の側に栓体天面を有する。螺着壁部が存在せず挿入取付部を有する採取片付き栓体の採取用突部は、挿入取付部に確保された栓体底面外周部から栓体天面とは反対の側へ延出する。
【符号の説明】
【００５７】
１０…試料採取用具、２０…容器、２１…（容器の）開口部、２２…（容器の）筒壁部、２２ａ…外ねじ部、２３…底壁、３０…採取片付き栓体、３１…栓体、３１Ｌ…（栓体の）中心軸線、３２…採取用突片、３２ａ…支持片部、３２ｂ…採取片部、３３…環状天壁部、３３ａ…当接面、３３ｂ…栓体天面、３４…（栓体の）挿入突部、３４ａ…（挿入突部の）筒状側壁部、３４ｂ…栓体底壁部、３４ｃ…栓体凹部（内側空間）、３４ｄ…（栓体の）底面（栓体底面）、３５…螺着壁部、３５ａ…内ねじ部、４１…載置面、４２…試料。
【図１】
2018072264.tif 000003
【図２】
2018072264.tif 000004
【図３】
2018072264.tif 000005
【図４】
2018072264.tif 000006
【図５】
2018072264.tif 000007
【図６】
2018072264.tif 000008
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
一端側の底壁とは反対の他端側に開口部が形成された容器と、前記容器の他端側に脱着される栓体から試料採取用の採取用突片が延出するプラスチック製の採取片付き栓体とを有し、
前記栓体は前記容器の開口部を密閉可能であり、かつ前記容器の開口部を密閉したときに前記開口部に挿入される挿入突部を有し、前記挿入突部は、前記栓体において前記容器の開口部の周囲の口縁部に当接される環状天板部の内周部からその軸線方向片側へ突出する筒状側壁部と、前記筒状側壁部の内側空間の筒状側壁部突端側を塞ぎ前記栓体の底面を形成する栓体底壁部とを有し、
前記採取用突片は、前記栓体の底面の外周部あるいは前記底面の外周部から突出する支持片部の先端から延出する採取片部を有し、前記採取片部は、前記栓体の前記底面あるいは前記支持片部先端から、前記容器の開口部を密閉したときに前記容器の開口部の中心軸線に一致する前記栓体の中心軸線に対して前記栓体の中心軸線を介して反対の側へ傾斜して延出されており、
前記採取用突片は、その全体が前記採取片部であるか、あるいは前記支持片部と前記支持片部からの延在寸法が前記栓体の前記底面からの前記支持片部の突出寸法に比べて大きい前記採取片部とを有する構成とされていることを特徴とする試料採取用具。
【請求項２】
前記採取片部の先端は、前記栓体の中心軸線方向における前記底面の中央部の延長上に位置することを特徴とする請求項１に記載の試料採取用具。
【請求項３】
前記採取片部の前記栓体側の基端部は前記栓体の前記底面の外周部に沿う湾曲断面形状で延在する円弧板状に形成されていることを特徴とする請求項１又は２に記載の試料採取用具。
【請求項４】
前記栓体には前記底面とは反対の側から手指を挿入可能な凹部が形成されていることを特徴とする請求項１〜３のいずれか１項に記載の試料採取用具。
【請求項５】
請求項１〜４のいずれか１項に記載の試料採取用具を使用して試料を採取することを特徴とする試料採取方法。
【請求項６】
請求項５に記載の試料採取方法によって試料を採取し、採取した試料を検査に供することを特徴とする試料の検査方法。
【手続補正２】
【補正対象書類名】明細書
【補正対象項目名】０００７
【補正方法】変更
【補正の内容】
【０００７】
上記課題を解決するために、本発明では以下の態様を提供する。
第１の態様は、一端側の底壁とは反対の他端側に開口部が形成された容器と、前記容器の他端側に脱着される栓体から試料採取用の採取用突片が延出するプラスチック製の採取片付き栓体とを有し、前記栓体は前記容器の開口部を密閉可能であり、かつ前記容器の開口部を密閉したときに前記開口部に挿入される挿入突部を有し、前記挿入突部は、前記栓体において前記容器の開口部の周囲の口縁部に当接される環状天板部の内周部からその軸線方向片側へ突出する筒状側壁部と、前記筒状側壁部の内側空間の筒状側壁部突端側を塞ぎ前記栓体の底面を形成する栓体底壁部とを有し、前記採取用突片は、前記栓体の底面の外周部あるいは前記底面の外周部から突出する支持片部の先端から延出する採取片部を有し、前記採取片部は、前記栓体の前記底面あるいは前記支持片部先端から、前記容器の開口部を密閉したときに前記容器の開口部の中心軸線に一致する前記栓体の中心軸線に対して前記栓体の中心軸線を介して反対の側へ傾斜して延出されており、前記採取用突片は、その全体が前記採取片部であるか、あるいは前記支持片部と前記支持片部からの延在寸法が前記栓体の前記底面からの前記支持片部の突出寸法に比べて大きい前記採取片部とを有する構成とされていることを特徴とする試料採取用具である。
第２の態様は、前記採取片部の先端は、前記栓体の中心軸線方向における前記底面の中央部の延長上に位置することを特徴とする第１の態様の試料採取用具である。
第３の態様は、前記採取片部の前記栓体側の基端部は前記栓体の前記底面の外周部に沿う湾曲断面形状で延在する円弧板状に形成されていることを特徴とする第１又は２の態様の試料採取用具である。
第４の態様は、前記栓体には前記底面とは反対の側から手指を挿入可能な凹部が形成されていることを特徴とする第１〜３のいずれか１つの態様の試料採取用具である。
第５の態様は、第１〜第４のいずれか１つの態様の試料採取用具を使用して試料を採取することを特徴とする試料採取方法である。
第６の態様は、第５の態様の試料採取方法によって試料を採取し、採取した試料を検査に供することを特徴とする試料の検査方法である。